【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
ロール材料用のコアであって、
本体部分と、
前記本体部分の第一端部に着脱自在に固定される第一部材と、
前記第一端部材を貫く第一の穴と、
前記本体部分の第二端部に着脱自在に固定される第二部材と、
前記第二端部材を貫く第二の穴と、
前記本体部分を貫く第三の穴、
を具備するものにおいて、
前記第一、第二及び第三の穴は全て、共通の長手方向軸を有し、前記第一の穴は平滑な内表面を有し、それによって前記第一の穴はチャックを収納できて前記チャックの心出しが前記第一の穴の平滑な内表面により容易にされ、前記第二の穴は平滑な内表面を有し、それによって前記第二の穴はチャックを収納できて前記チャックの心出しが前記第二の穴の平滑な内表面により容易にされ、前記本体部分は金属から作製され、また前記第一と第二端部材は各々プラスチック材料から作製される、
ロール材料用のコア。
【請求項２】
前記第一端部材は前記本体部分の前記第一端部で前記第三の穴の中に挿入され、前記第二端部材は前記本体部分の前記第二端部で前記第三の穴の中に挿入される、請求項１に記載のロール材料用のコア。
【請求項３】
前記本体部分の前記第一端部は前記第一端部材上の挿入部分を収納し、前記本体部分の前記第二端部は前記第二端部材上の挿入部分を収納する、請求項２に記載のロール材料用のコア。
【請求項４】
前記第三の穴は長手方向に延びるキー溝を有し、前記第一と第二端部材上の前記挿入部分は相補的な溝を有する、請求項３に記載のロール材料用のコア。
【請求項５】
前記キー溝は前記第三の穴の全長に延びる、請求項４に記載のロール材料用のコア。
【請求項６】
前記第三の穴は平坦であり、前記第一と第二端部材の前記挿入部分は平坦である、請求項１−３のいずれか１項に記載のロール材料用のコア。
【請求項７】
前記第一端部材は第一の引き込み部分を有し、また前記第二端部材は第二の引き込み部分を有する、請求項３−６のいずれか１項に記載のロール材料用のコア。
【請求項８】
前記第一端部材は、前記本体部分の第一端部に接触するための第一フランジを有し、前記第二端部材は、前記本体部分の第二端部に接触するための第二フランジを有する、請求項１−７のいずれか１項に記載のロール材料用のコア。
【請求項９】
前記本体部分への前記第一と第二部材の着脱自在な固定に使用されるネジを含む、請求項１−８のいずれか１項に記載のロール材料用のコア。
【請求項１０】
前記金属はアルミニウムである、請求項１−９のいずれか１項に記載のロール材料用のコア。
【請求項１１】
前記アルミニウムはアルミニウム合金である、請求項１０に記載のロール材料用のコア。
【請求項１２】
前記アルミニウム合金は、アルミニウム・マグネシウム・シリコン合金である、請求項１１に記載のロール材料用のコア。
【請求項１３】
前記プラスチック材料は、ポリプロピレン共重合体である、請求項１−１２のいずれか１項に記載のロール材料用のコア。
【請求項１４】
使用中に前記コアの追跡を可能にするための識別タグを含む、請求項１−１３のいずれか１項に記載のロール材料用のコア。
【請求項１５】
前記識別タグは前記第一と第二端部材の少なくとも一つの上にある、請求項１４に記載のロール材料用のコア。
【請求項１６】
前記識別タグは無線操作可能な識別タグである、請求項１４又は請求項１５に記載のロール材料用のコア。
【請求項１７】
請求項１−１６のいずれか１項に記載のコアを含むときのロール材料。
【請求項１８】
前記材料は印刷紙である、請求項１７に記載のロール材料。
【手続補正２】
【補正対象書類名】明細書
【補正対象項目名】発明の名称
【補正方法】変更
【補正の内容】
【発明の名称】ロール材料用のコアおよびロール材料
【手続補正３】
【補正対象書類名】明細書
【補正対象項目名】０００１
【補正方法】変更
【補正の内容】
【０００１】
本発明は、ロール材料用のコアに関する。材料は、印刷産業用の印刷紙又は他の産業用の他の材料である。
【手続補正４】
【補正対象書類名】明細書
【補正対象項目名】０００３
【補正方法】変更
【補正の内容】
【０００３】
前述の問題に対処するための試みは、印刷紙のロール用のコアを開示する英国特許第2400093-A号明細書に開示されていて、そのコアは、本体部分、本体部分を貫く穴、本体部分の第一端部に着脱自在に固定される第一端部材、及び本体部分の第二端部に着脱自在に固定される第二端部材を具備し、コアはプラスチック材料から作製されている。英国特許第2400093-A号明細書に開示されるコアは、周知の厚紙コアに関する大きな改良である。しかしながら、英国特許第2400093-A号明細書のコアは、それ自体の問題を提示する。具体的に言うと、業界は、ロールの直径及び/又はロールの幅から見て増加し続けるロール材料の大きさと、増加し続ける回転の速度を要求する傾向がある。特定の大きさを超えると、使用の際に、厚紙又はプラスチック材料から作製されたコアは、不安定になり且つ破断する傾向がある。不安定性と破断は、機械、例えばコア上の印刷紙を使い果たす印刷機を操作するオペレータに重大な潜在的危険をもたらす。機械自体も損傷されることが多い。従って、保健と安全面からの要求が、厚紙から作製されまたプラスチック材料から作製されるコアの使用を否定する。
【手続補正５】
【補正対象書類名】明細書
【補正対象項目名】０００５
【補正方法】変更
【補正の内容】
【０００５】
従って、本発明の非限定の実施形態の一つには、ロール材料用のコアが提供され、そのコアは、本体部分、本体部分の第一端部に着脱自在に固定される第一端部材、第一端部材を貫く第一の穴、本体部分の第二端部に着脱自在に固定される第二端部材、第二端部材を貫く第二の穴、本体部分を貫く第三の穴を具備し、第一と第二と第三の穴は全て共通の長手方向軸を有し、第一の穴は平滑な内面を有し、それによって第一の穴はチャックを収納できてチャックの心出しが第一の穴の平滑な内面により容易にされ、第二の穴は平滑な内面を有し、それによって第二の穴はチャックを収納できてチャックの心出しが第二の穴の平滑な内面により容易にされ、本体部分は金属から作製され、第一と第二端部材は各々プラスチック材料から作製されている。
【手続補正６】
【補正対象書類名】明細書
【補正対象項目名】０００６
【補正方法】変更
【補正の内容】
【０００６】
金属から成る本体部分を作製することは、厚紙又はプラスチック材料から成るコアを作製することから生ずる前述の不安定性と破断の問題を克服するために役立つ。具体的に言うと、例えば印刷機などの機械上のロール材料用の早い回転速度の際には、本体部分がプラスチック材料から作製される場合、本体部分は過度に加熱される傾向がある。その結果、プラスチック材料はその剛性を一部喪失し次に本体部分がもはや一直線に延びないように一方向へ曲げる。湿気のある雰囲気に晒された厚紙から作製されるコアは、剛性を喪失する。回転の際に、厚紙とプラスチック材料のコアは、コアを憂慮するほど不規則に揺れさせまた破断さえさせる本体部分とバランスを失う傾向がある。この問題は、金属から作製される本体部分を用いて回避できる。金属はしかしながら、前述の識別タグの使用が、全体を金属から作製されたコアを正常に使用させない場合それ自体の問題を生ずる。この問題は、プラスチック材料から作製された第一と第二端部材を有することにより克服される。第一と第二部材の中に挿入され、ロール材料の回転を起すために駆動されるチャックに必要な摩擦を与えるに十分軟質であるように、普通はプラスチック材料が選択される。これらのチャックは、第一と第二端部材の第一と第二の穴の中ではそれぞれ滑る必要はない。さらに、プラスチック材料は、低温条件下例えば寒冷な気候の国において使用する際にひびが入るほど硬くあるべきではない。第一と第二端部材の保持力は、コアを改装し廃棄しないことを可能にして、厚紙チューブで発生する不必要な浪費の問題を克服している。本体部分に対する金属の使用は、プラスチック材料又は厚紙から作製される本体部分を有することの問題を克服する。プラスチック材料の第一と第二端部材の作製は識別タグの使用を抑制する金属の問題を克服する。全部そろっているコアは、何回でも使用できる。この多数回の使用後、端部が損傷される場合、そのとき端部は容易に交換されてコア全体をさらなる回数使用し続けることを可能にする。多数回の使用、修復及びさらなる多数回の使用のプロセスは、所望されるように且つ適当に反復できる。
【手続補正７】
【補正対象書類名】明細書
【補正対象項目名】０００９
【補正方法】変更
【補正の内容】
【０００９】
コアは、第三の穴が長手方向に延びているキー溝を有し、第一と第二端部材上の挿入部分が相補的な溝を有するコアである。必要なら、第一と第二部材上の挿入部分は長手方向に延びているキー溝を有すると見なすことができ、その場合に第三の穴は相補的な溝を有する。第三の穴に沿って長手方向に延びているキー溝は、キー溝が本体部分の壁の厚みをキー溝の奥行きだけ増大するので本体部分の強さを大幅に増大する。相補的に係合するキー溝と溝は、第一と第二端部材を第三の穴の適当な位置に保持し、ひいては第一と第二の穴のチャックにより第一と第二端部材に加えられる回転を、本体部分とコア上のロール材料とに伝達することを可能にする。通常、キー溝は、第三の穴の全長に延びる。本体部分をそのとき容易に押出しできる。
【手続補正８】
【補正対象書類名】明細書
【補正対象項目名】００１９
【補正方法】変更
【補正の内容】
【００１９】
本発明はまた、本発明のコアがあるときのロール材料にも及ぶ。材料は印刷紙であることが好ましいが、材料は壁紙、厚紙、プラスチック製フィルム、箔又は織物等の場合もある。箔は、プラスチック材料又は金属、例えばアルミニウムから作製される。織物は、衣類、クロス又はカーテンを用途とするものである。